(57)【要約】【課題】簡単な構成でセキュリティ向上に加え、行先階入力から割り当て号機へ乗車するまでの流れを円滑にし、運行効率を向上する。【解決手段】エレベータに乗り込むまでに行先階の登録を行うエレベーターシステムにおいて、行先階が入力可能とされた行先階入力装置５１０と、利用者によって携帯される情報を格納したＩＤカード又は情報端末装置と、行先階入力装置５１０に行先階が入力された後、ＩＤカード又は情報端末装置から読取った情報に基づいて入力された行先階を登録する認識部５１３と、登録された行先階に基づいて割り当てるエレベータを決定する群管理制御システム１００と、決定されたエレベータが表示可能とされた表示装置５１２と、を備える。【選択図】図１
2014084219.tif 000002
【特許請求の範囲】
【請求項１】
複数台のエレベータの運行を管理する群管理制御システムを有し、エレベータに乗り込むまでに行先階の登録を行うエレベーターシステムにおいて、
移動開始階において、エレベータに乗り込むまでの場所に設置され、行先階が入力可能とされた行先階入力装置と、
利用者によって携帯される情報を格納したＩＤカード又は情報端末装置と、
前記行先階入力装置に行先階が入力された後、前記ＩＤカード又は前記情報端末装置から前記情報を読取り、読取った前記情報に基づいて入力された前記行先階を登録する認識部と、
前記登録された前記行先階に基づいて割り当てる前記エレベータを決定する前記群管理制御システムと、
決定された前記エレベータが表示可能とされた表示装置と、を備えたことを特徴とするエレベーターシステム。
【請求項２】
請求項１に記載のエレベーターシステムにおいて、前記ＩＤカード又は前記情報端末装置の前記認識部へのかざし方により、前記行先階の情報に付加する情報を決定することを特徴とするエレベーターシステム。
【請求項３】
請求項１に記載のエレベーターシステムにおいて、前記ＩＤカード又は前記情報端末装置を前記認識部へタップ、ダブルタップ、スライドすることで前記行先階の情報に付加する情報を決定することを特徴とするエレベーターシステム。
【請求項４】
請求項１に記載のエレベーターシステムにおいて、前記ＩＤカード又は前記情報端末装置の前記認識部へタップすることで一般呼び、ダブルタップすることでＶＩＰ呼びあるいは車いす呼びと認識することを特徴とするエレベーターシステム。
【請求項５】
請求項１に記載のエレベーターシステムにおいて、前記行先階入力装置の画面をタッチパネルとし、前記ＩＤカード又は前記情報端末装置を前記認識部へタップした後、前記タッチパネルを指で特定操作をすることで前記行先階の情報に付加する情報を決定することを特徴とするエレベーターシステム。
【請求項６】
請求項１に記載のエレベーターシステムにおいて、前記ＩＤカード又は前記情報端末装置を前記認識部へ通信可能距離内にはいるように近接させ、ＮＦＣインターフェイスで前記ＩＤカード又は前記情報端末装置から読取った情報に基づき利用許可を与えることを特徴とするエレベーターシステム。
【請求項７】
請求項１に記載のエレベーターシステムにおいて、前記行先階入力装置の画面をタッチパネルとし、前記ＩＤカード又は前記情報端末装置を前記認識部へ通信可能距離内にはいるように近接させた後、前記タッチパネルの所定部を予め定めた登録パターンに従って指で軽く触れることで前記行先階の情報に付加する情報を決定することを特徴とするエレベーターシステム。
【請求項８】
請求項１に記載のエレベーターシステムにおいて、前記情報端末装置に特殊運転条件を登録できるアプリケーションがインストールされ、ＮＦＣインターフェイスで前記情報端末装置から個別の情報を読み取り、利用許可を前記行先階入力装置側で判断し、前記アプリケーションが起動されることを特徴とするエレベーターシステム。
【請求項９】
請求項８に記載のエレベーターシステムにおいて、前記アプリケーションが起動と共に、より多くの情報量を通信できる第２の通信部を起動することを特徴とするエレベーターシステム。
【請求項１０】
請求項１に記載のエレベーターシステムにおいて、前記群管理制御システムで行先階別の乗降人数の記録を行い、一般階において最終退場者と判定した場合、その階の行先階入力装置の操作を無効とすることを特徴とするエレベーターシステム。
【請求項１１】
請求項１０に記載のエレベーターシステムにおいて、所定の暗号操作により前記行先階入力装置の操作を許可することを特徴とするエレベーターシステム。
【請求項１２】
請求項１０に記載のエレベーターシステムにおいて、所定の時刻になった場合、一般階の前記行先階入力装置の操作を無効とすることを特徴とするエレベーターシステム。
【発明の詳細な説明】
【技術分野】
【０００１】
本発明は、利用者がエレベータの乗車前に行先階情報を登録するエレベーターシステムに関する。
【背景技術】
【０００２】
近年、エレベータ利用者に対してアクセス可能な階を制限するといった建物のセキュリティ向上が進められている。例えば、乗車前に個人認証認識部付きの行先階登録装置を備えたフラッパーゲートや乗り場付近設置の個人認証認識部を備えた行先階登録装置により、IDカード等を用いた個人認証した上で入館許可者の場合にIDカード等から読取った行先階又は手動入力した行先階をエレベータへ送信し、エレベータを割り当てている。
【０００３】
また、利用者が携帯する情報送信機によって、或いは、利用者の特性の認識によって、希望する行先階が、利用者が操作をすることなくエレベータ制御装置に自動的に伝送されるエレベーターシステムがある。例えば、ある階に対してのみアクセスする権限を与えたり、自分の個人的な要望に従って、且つ自分のアクセス権限の範囲内で、行先階の事前選択を左右したり、することができる。つまり、利用者が固定行先階を事前選択でき、自分の希望に従って、且つ権限の与えられた範囲内で、行先階を指定でき、個人的な特性の認識が終わる度毎に、固定行先階を利用者に知らせる、ことが知られ、例えば、特許文献１に記載されている。
【０００４】
さらに、建物のセキュリティゲートと連動して割り当てかごを決定するエレベータの制御装置において、セキュリティゲートを通過した後、利用者が何らかの理由によって割当かごに乗車できなかった場合でも、利用者によるエレベータの利用を可能にするため、決定された割り当てかごに所定の階床で利用者が乗車したことを検出すると、割り当てかごに対して、行先階情報に基づく行先呼びを自動登録する、ことが知られ、例えば、特許文献２に記載されている。
【０００５】
さらに、エレベータのかご内にID判別装置を設けて、ID判別がOKとなった人だけ行先階を登録できるにようにし、ID判別動作を行った場合はエレベータの戸が全開している時間を長くすることが知られ、例えば、特許文献３に記載されている。
【先行技術文献】
【特許文献】
【０００６】
【特許文献１】特開２０００−２８９９４３号公報
【特許文献２】国際公開第ＷＯ２０１０/０２３７２３パンフレット
【特許文献３】特開平１１−３２２２０４号公報
【発明の概要】
【発明が解決しようとする課題】
【０００７】
上記従来技術において、特許文献１に記載のものでは、個人的な特性の認識が終わる度毎に、固定行先階を利用者に知らせるので、利用者がIDカード等の予め登録された通常の行先階へ行く場合に比べ、押しの圧力が足りなくキー入力が受け付けられない、慌てて入力したことによる操作ミス等が利用者の認証後に行われる。  
また、予め登録された通常の行先階へ行く利用者と、登録された行先階とは異なる行先階へ向かう利用者、不慣れな利用者が混在した場合、IDカード等で行先階が自動登録できるにも係らず、利用者の渋滞を招くことになり、エレベータの運行効率が低下する。したがって、無駄な行先階が登録されてエレベータの運行効率を低下させ、混雑時には行先階登録装置での渋滞、行列の乱れ、乱れず整列して入力したとしても長くなった待ち行列を解消するのが困難であった。
【０００８】
特許文献２に記載のものも同様であり、利用者が何らかの理由で乗車しない場合、無駄な行先階が登録されることは無くなっても行先階登録装置への行先階の入力については変わりなく、行先階登録装置で渋滞する恐れがある。  
特許文献３に記載のものは、エレベータのかご内において、混雑していない時間帯における操作で有れば良いが、それ以外の場合では、ID判別装置への行先階の入力については特許文献２と変わりない。  
また、上記特許文献のように個人識別形式のIDカードを導入するとなると、昨今の個人情報保護に対する関心が高い中で、個人情報の流出というリスクが生じ、それに対して、セキュリティ対策を講じたカード情報の管理を行う高価でかつ大規模システムが必要となる。
【０００９】
本発明の目的は、上記従来技術の課題を解決し、少ない機器・簡単な汎用デバイス構成及び簡単な手段にて、セキュリティ向上に加え、行先階入力から割り当て号機へ乗車するまでの流れを円滑にし、運行効率を向上することにある。
【課題を解決するための手段】
【００１０】
上記目的を達成するため、本発明は、複数台のエレベータの運行を管理する群管理制御システムを有し、エレベータに乗り込むまでに行先階の登録を行うエレベーターシステムにおいて、移動開始階において、エレベータに乗り込むまでの場所に設置され、行先階が入力可能とされた行先階入力装置と、利用者によって携帯される情報を格納したＩＤカード又は情報端末装置と、前記行先階入力装置に行先階が入力された後、前記ＩＤカード又は前記情報端末装置から前記情報を読取り、読取った前記情報に基づいて入力された前記行先階を登録する認識部と、前記登録された前記行先階に基づいて割り当てる前記エレベータを決定する前記群管理制御システムと、決定された前記エレベータが表示可能とされた表示装置と、を備えたものである。
【発明の効果】
【００１１】
本発明によれば、行先階入力装置に行先階が入力された後、ＩＤカード又は情報端末装置から情報を読取り、読取った情報に基づいて入力された行先階を登録するので、情報によりセキュリティを確保できる共に、不慣れな利用者であっても行先階入力が容易で操作ミス等を無くして、使い勝手の向上を図ることができる。
【図面の簡単な説明】
【００１２】
【図１】本発明の一実施形態によるエレベーターシステムの全体構成図。
【図２】図１に示した一実施形態に用いられる行先階入力装置を示す正面図。
【図３】一実施形態による行先階入力装置の動作を示すフローチャート。
【図４】一実施形態に用いられる認識部へのＩＤカード又は情報端末装置のかざし方を示す図。
【図５】他の実施形態による行先階情報に付加する情報の入力例を示す正面図。
【図６】さらに、他の実施形態による行先階情報に付加する情報の入力例を示す正面図。
【図７】一実施形態によるホール用行先階入力装置の動作を示すフローチャート。
【発明を実施するための形態】
【００１３】
図１は、エレベーターシステムの全体構成図を示し、複数台のエレベータを個別に制御するエレベータ制御システム２１０、２２０、２ｎ０と、各エレベータを全体の運行効率が最適となるように運行を制御する群管理制御システム１００と、備えている。また、建物のエントランス階(出発基準階＝移動開始階)のエレベーターホール付近には、ホール用行先階入力装置５１０Ｓが設置され、テンキー方式の行先階入力部５１１、行先階入力情報や割り当て号機を表示する表示装置５１２、エレベータ利用者によって携帯された情報を読取り行先階決定を担う認識部５１３を有している。
【００１４】
携帯される情報は、カード等のタグとした場合、非接触ＩＣカード、認識部５１３（カードリーダ）からの電波をエネルギ源として動作するパッシブ型ＲＦＩＤとされたＩＣタグ（ＩＤカード）が望ましい。また、利用者によって携帯される情報は携帯電話やスマートフォン（多機能携帯電話）、タブレット端末などの情報端末装置に格納されていれば良く、第１の通信部としてＩＣタグとの近距離無線通信によるＮＦＣインターフェイスを有し、より多くの情報量を通信できる第２の通信部としてBluetooth（登録商標）あるいはWi-Fi（登録商標）、３Ｇ回線、ＬＴＥなどでのような無線通信プロトコルを有しているものが望ましい。
【００１５】
各階のエレベーターホール付近には、ホール用行先階入力装置５２０、５ｎ０が設置され、認識部５１３が無く、テンキー方式の入力装置５２１、５ｎ１、行先階入力情報や割り当て号機を表示する表示装置５２２、５ｎ２を有している。  
さらに、エレベーターホール付近には、エレベータ利用者によって携帯されたカード内情報を読取る認識部５２３、５ｎ３を有したホール用行先階入力装置５２０Ｓ、５ｎ０Ｓが設けられ、これらはセキュリティの強化、つまり特定の利用者しか使えないことによるセキュリティ効果を高めている。
【００１６】
入出力メイン処理装置４００は、各認識部と接続され、群管理制御システムとデータの授受を行う。ＩＤカードによって個人識別情報を格納した場合、セキュリティを確立するため、特に、個人毎に行先階の情報を決定するためには、入出力メイン処理装置４００内に予め個人識別情報に対応した行先階の情報を記憶したデータベースが必要となる。しかし、個人毎に利用の可否を判別するだけならば、行先階を入力後にＩＤカードの情報を認識部で読取り、ＩＤカードが正規のカードか否かを判断して入力された行先階の入力を許可して登録する、つまり、動作許可カード（入館許可証等）とすれば読取った情報が適正かどうかを判定することでセキュリティを確保し、大規模なデータベースを必要としないと言う簡単な構成とすることができる。
【００１７】
エレベータ制御システム２１０、２２０、・・・２ｎ０は、群管理制御システム１００内の運行管理制御系１０１による制御の下で、自動運転や手動運転等といったエレベータの運転方式に合った運転を行う運転制御系２１２と、主に乗りかご３１０Ｃ、３２０Ｃ、３ｎ０Ｃを昇降するためのモーター制御を行う速度制御系２１３により各エレベータの運行を個別に制御する。また、エレベータ毎に、かご内荷重やドアの開閉等の各事象の情報を運行管理制御系１０１に送信する。群管理運転中は、エレベータ制御システム内の運行管理制御系２１１は動作しない。また、エレベータ利用者がエレベータの乗車前に行先階情報を入力するエレベーターシステムとしている場合は、通常の運転中、乗りかご内の操作盤３１１、３２１、３ｎ１内の行先階ボタンの入力を無効としている。
【００１８】
群管理制御システム１００内では、時々刻々と変化するエレベータ情報と行先階情報等の運行データを学習系１０２へ送信し、運行データに基づいて学習系１０２は交通状況を学習し、その時点でどのような運転プログラムが適しているかを判断する。知能系１０３では学習結果を用いて新しい特徴モードの生成とエレベータ運行シミュレーションを行い、各交通需要に応じた最適な運転プログラムの自動生成を行っている。運行管理制御系１０１では前記運転プログラムを用いて、行先階床別にどのエレベータを配車するかを決める割り当て制御を行い、さらにエレベータ制御システムへ行先階別に割り当て指令等を行っている。単独エレベータにおいては、群管理制御システムが不要であり、エレベータ制御システム内の運行管理制御系２１１が動作する。
【００１９】
図２は、各階のエレベーターホール付近に設置された行先階入力装置５１０Ｓの操作例を示す。  
(a)は待機状態であり、この状態から利用者が１０階へ行く場合、（ｂ）で１を入力、（ｃ）で０を入力する。次に、（ｄ）で認識部５１３にＩＤカードをかざす、つまり、認識部５１３からＩＣタグへの比較的強めの電波供給に対してＩＣタグ（ＩＤカード）からの微弱な反射派を受信、解読できるように、読取り又は通信可能距離内にはいるように近接、あるいは密着させる。
(ｅ)読取った情報が適正かどうかを判定し、利用の可と判別できた場合、つまり、許可されたカードの場合、入力した行先階情報(この場合では１０階の情報)が群管理制御システム１００に伝送され、群管理制御システム１００において最適な割り当てかごを決定する。利用の可否の判別は、ＩＤカードの情報が個人識別情報の場合は、個人識別情報が許可できるとして予め登録されていれば良い。また、ＩＤカードの情報は、単に許可すべき信号、例えば、キーナンバーであっても良く、この場合は個人識別情報でないので、より簡単なシステムとなる。
【００２０】
また、従来技術のように、ＩＤカードを読み込んでから認証OK後に各種制御をさせる必要があるのに比べ、ホール用行先階入力装置５１０Ｓと入出力メイン処理装置経由となっている群管理制御システム１００とのデータ授受が１回で済むことから、システム全体の対応がスピードアップされ、その結果、運行効率の向上を図れるといった効果も期待できる。さらに、また、操作ミスした場合には、再度、行先階を入力するか、またはキャンセル機能として例えば「０」ボタンを２回押下することで行先階をキャンセルする。したがって、変更等の操作も容易で、使い勝手の向上を図ることができる。
【００２１】
図３は、出発基準階において行先階を入力後に、IDカードを読み込ませて登録を決定する場合の動作を示すフローチャートである。IDカードを携帯するエレベータ利用者がホール用行先階入力装置５１０Ｓの前に到着したとき、行先階入力部５１１を使用して行先階の入力を行うと、行先階入力装置５１０Ｓのディスプレイ５１２上に行先階が表示される。  
Ｓ301：行先階入力装置５１０Ｓのテンキーにて行先階を入力する。  
Ｓ302：行先階入力装置５１０Ｓのディスプレイ５１２上に行先階を表示。  
利用者は表示された行先階を最終確認した後、利用者によって携帯された情報を読取り行先階決定を担う認識部５１３に対して所定の操作を行う(例えば、社員証等のIDカードをかざす)。
【００２２】
Ｓ303：IDカードを認識部５１３にかざす。  
Ｓ304：認識部５１３は、IDカードが正規のカードか否かつまり、行先階決定OKかを判定する。（IDカードに正規のカードを示す信号、フラグが埋め込まれている）  
Ｓ305：行先階決定OKの場合、入力された行先階情報を群管理制御システム１００に伝送。群管理制御システム１００において最適な割り当てかごを決定し、割り当て号機のエレベータ制御システムへ割り当て信号を伝送する。
【００２３】
Ｓ306：入出力メイン処理装置４００経由にて、行先階入力装置５１０Ｓ上の割当て号機表示用ディスプレイ５１２に割り当て号機を表示する。  
Ｓ307：割り当てかごが当該階に到着して、戸開する。  
Ｓ308：かご内操作盤３１１へ該当する行先階を自動登録(行先階ボタン点灯)する。
【００２４】
なお、Ｓ304において正規のカードでない(行先階決定NG)と判定されると、Ｓ309に進み、行先階入力装置５１０Ｓ上の割当て号機表示用ディスプレイ５１２に”行先階登録できません”を表示する。
【００２５】
以上によれば、出発基準階において行先階を入力後に、IDカードを読み込ませて登録を決定する場合、行先階入力情報を決定する前に、行先階の最終確認をした上での運びとなるため、不慣れな利用者であっても、行先階入力から割り当て号機へ乗車するまでの流れを円滑にできると共に、誤登録を防ぐことができる。
【００２６】
また、上記の例はIDカード内の情報を読み取らせるものなっているが、QRコード（登録商標）(二次元コード)が印字されたIDカード又は二次元コードを表示可能な情報携帯端末の二次元コードを読み取らせる構成でも良い。  
さらに、行先階を入力後に、IDカードを読み込ませて登録を決定した後に、IDカードのかざし方を変えることで、セキュリティ性の向上だけでなく、使い勝手の向上もできる。
例えば、Ｓ305でＳ303のステップのかざし方(図４参照)により、行先階情報に付加する情報(身障者、VIP等の特殊運転条件)を決定して群管理制御システム１００に伝送する。かざし方として（ａ）は一般呼びであるので、認識部５１３へIDカードをタップ、つまり、軽く触れてすぐに離す。（ｂ）はダブルタップ、２回連続して同じ位置をタップすることでＶＩＰ呼びと認識し、専用の乗りかごを配車する。（ｃ）は、IDカードを認識部５１３に軽く触れたまま右方向へスライドすることで、車イス呼びと認識し、車イス用の乗りかごを配車する。このほか、IDカードを認識部５１３に軽く触れたままの状態を保つロングタッチ、左方向へのスライド、下方向へのドラッグなどのかざし方で区別して特殊運転条件の指示とする。
【００２７】
さらに、行先階入力装置５１０Ｓの認識部５１３のエリア、あるいはテンキーも含めた主画面を指等で触れることで操作入力とするタッチパネルとして、一般呼びは認識部５１３のエリアへIDカードをタップすることとし、その後、主画面を指でダブルタップ、スライド、ロングタッチ、ドラッグ等の特定操作をすることで区別して行先階情報に付加する情報とすればIDカードで行うものに比べ、より区別が容易で使い勝手の良い、利便性の向上したものとすることができる。
【００２８】
以上の説明では、カード式で説明したが、図５及び図６に示すスマートフォンのような情報送信機と組合せた方式とすれば、カードの無駄な発行を避けることができる。
【００２９】
図５は、動作許可カードの代わりにスマートフォン、行先階入力装置の行先階入力部を含む主画面をタッチパネルとした例である。  
(ａ)利用者が１０階へ行くためテンキーで入力が既に終わった状態で、認識部５１３にスマートフォンをかざし、ＮＦＣインターフェイスでこのスマートフォンから読取った情報が適正かどうかを判定、つまり、利用許可を与えて良いか行先階入力装置側で判断する。
(ｂ)利用許可を与えて良いと判断される場合、入力された行先階情報(この場合では１０階の情報)に付加する情報を選択可能とする。図は、ＶＩＰ呼びの運転条件となるように、指を使ってＶＩＰ呼びに対して予め定めた登録パターン（図でＮ字状）をタッチパネルの所定部を軽く触れることで入力する。この入力操作により、ＶＩＰ呼びと認識する。
(ｃ)群管理制御システム１００において最適な割り当てかごが決定され、表示装置５１２に割り当て号機が表示される。  
本例によれば、図４で説明したものに比べ、登録パターンを複数設けることで数多くの種々な付加情報を設定することができる。
【００３０】
図６は、スマートフォンを用いた他の例を示し、入力した行先階情報に付加する情報、特殊呼びをスマートフォン側で選択する。  
スマートフォン等の情報端末装置は、予め身障者、VIP等の特殊運転条件の呼び登録できるアプリケーション(特殊呼びアプリ)がインストールされ、アプリを利用するための個人認証、利用条件等の初期設定がされている。
（ａ）図５と同様に、利用者が１０階へ行くためテンキーで入力が既に終わった状態で、認識部５１３にスマートフォンをかざす。  
（ｂ）近距離無線通信のＮＦＣインターフェイスである第１の通信部でスマートフォンから個別の情報を読み取り、利用許可を行先階入力装置側で判断し、許可信号を送ることで特殊呼びアプリが起動する。（ｂ）の下図が特殊呼びアプリが起動した後の画面を示し、「特殊呼びを選択して下さい。」のメッセージ、付加情報を入力するための車イス、ＶＩＰ呼びを示す登録ボタンが表示される。利用者は、入力した行先階情報(この場合では１０階の情報)に付加する情報を選択する。本図ではVIP呼びの運転条件とするため、VIP呼びに対する登録ボタンをタップしている。この操作により、VIP呼びであることが行先階入力装置へ通信され、群管理制御システム１００に伝送されて最適な割り当てかごが決定される。  
(ｃ)表示装置５１２に割り当て号機Ｄが表示される。
【００３１】
本例によれば、図５で説明したものに比べ、数多くの種々な付加情報の設定、さらには第１の通信部による通信が確立した後に、より情報量を多く送信できる第２の通信部を起動するようにしても良い。この場合、利用者は、自分の好みに合うように待ち時間、乗車時間、混雑度、かごまでの距離、消費エネルギなど、乗車したいエレベータを選択するための基準となるような項目及びその値入力するようにできる。そして、群管理制御システム１００側からは入力条件に適合した順に割り当てかごが決定し、表示装置５１２に表示する。  
さらに、第２の通信部を起動することによって、顔画像、名前、会社情報、等より詳細な個人情報を行先階入力装置経由で群管理制御システム１００、あるいはセキュリティを確認するための別サーバ等に伝送してセキュリティ等を強化することができる。
【００３２】
図７は、行先階入力装置５１０Ｓ、５２０Ｓ、５ｎ０Ｓの基本動作を示すフローチャートであり、運行管理制御系１０１内の行先階別乗降人数の演算処理部(図示せず)にて乗降人数の記録を行うことで、入退館の際、館内の更なるセキュリティ向上を図ることができる。
【００３３】
Ｓ701：出発基準階に設置の行先階入力装置５１０Ｓにおいて、行先階入力したか否かを確認する。  
Ｓ702：出発基準階に設置の行先階入力装置５１０Ｓにおいての利用と判定した場合、エレベータ利用者のサービスが完了した後、入力した行先階の行先階入力装置の操作を有効とする(入館人数１人増加として運行管理制御系１０１内のデータベースへ記録する)。  
Ｓ703：一般階において最終退場者か否かを確認する。  
Ｓ704：一般階において最終退場者と判定した場合、エレベータ利用者が乗りかごに乗車及び戸閉完了した後、操作階の行先階入力装置の操作を無効とする。
【００３４】
Ｓ705：一般階においてビル内の保守・点検調査のため管理人や警備員等による非常階段からの入館、または出発基準階(ロビー階)設置の行先階入力装置のメンテナンス中に入館した等、何らかの理由により行先階入力装置の操作が無効となっているケースにおいて、２つボタンの同時押しや『＊』と『−』の記号ボタンを連続入力、スマートフォン等の情報発信機との組合せ等の所定の暗号操作が成立した場合、行先階入力装置の操作を一時的に有効とするため、Ｓ706のステップに進む。
【００３５】
Ｓ706：エレベータ利用者が乗りかごに乗車及び戸閉完了するまで、一時的に行先階入力装置の操作を有効とする。  
また、出社日でかつ出社時間の２時間前等といった所定時刻と判断した場合、出発基準階(ロビー階)以外の階(一般階)の行先階入力装置の操作を無効とする。また、エントランス階が複数であっても同様である。
【符号の説明】
【００３６】
１００  群管理制御システム
１０１  運行管理制御系
１０２  学習系
１０３  知能系
２１０、２２０、２ｎ０  エレベータ制御システム
２１１  運行管理制御系
２１２  運転制御系
２１３  速度制御系
３１０Ｃ、３２０Ｃ、３ｎ０Ｃ  乗りかご
３１１、３２１、３ｎ１  かご内操作盤
４００  入出力メイン処理装置
５１０、５２０、５ｎ０  行先階入力装置
５１１、５２１、５ｎ１  行先階入力部
５１２、５２２、５ｎ２  表示装置
５１３、５２３、５ｎ３  認識部
【図１】
2014084219.tif 000003
【図２】
2014084219.tif 000004
【図３】
2014084219.tif 000005
【図４】
2014084219.tif 000006
【図５】
2014084219.tif 000007
【図６】
2014084219.tif 000008
【図７】
2014084219.tif 000009